(57)【要約】【課題】  本発明は、傘袋は失いやすいので装着したまま使えるように工夫したもので、着脱は傘を取り換えるとき以外必要ない。  また、フリーサイズで傘の長短、横の太さ、グリップの形状にも対応できる。  使うときは、傘袋のグリップをもったまま裏返して手に被せて手を保護できるようにした、折りたたみ傘用の傘袋を提供する。【解決手段】  傘袋本体（１）の下部にグリップのシャーリング部（２）を設け、傘袋本体（１）の上部に傘のシャーリング部（３）を設け、傘のシャーリング部（３）を閉めるための紐（４）を設け、補助グリップ（５）の表面に面ファスナー（６ａ）、面ファスナー（６ｂ）を設け、傘のシャーリング部（３）に補助グリップ（５）を挿入し、組み合わせたことを特徴とする折りたたみ傘用の傘袋。【選択図】図１
2015058337.tif 000002
【特許請求の範囲】
【請求項１】
傘袋本体（１）の下部にグリップのシャーリング部（２）を設け、傘袋本体（１）の上部に傘のシャーリング部（３）を設け、傘のシャーリング部（３）を閉めるための紐（４）を設け、補助グリップ（５）の表面に面ファスナー（６ａ）、面ファスナー（６ｂ）を設け、傘のシャーリング部（３）に補助グリップ（５）を挿入し、組み合わせたことを特徴とする折りたたみ傘用の傘袋。
【発明の詳細な説明】
【技術分野】
【０００１】  本発明は、傘袋は失いやすいので装着したまま使えるように工夫したもので、着脱は傘を取り換えるとき以外必要ない。
また、フリーサイズで傘の長短、横の太さ、グリップの形状にも対応できる。
使うときは、傘袋のグリップをもったまま裏返して手に被せて手を保護できるようにした、折りたたみ傘用の傘袋に関するものである。
【背景技術】
【０００２】  従来は、傘を出し入れしやすいように、傘袋を大きくするというのが多く、傘を使うときには、傘袋のバッグなどに収納するのが一般的であった。
ところが、荷物が一つ増えるし、傘袋を別にすると傘袋をなくしやすいのは、以前のものと大差はない。
しかし、この発明は、傘袋を装着したまま使用も収納もできるのでかさばらず、失うこともない。
また、折りたたみの傘には、二つ折り、三つ折りがあるが、グリップが短く、形状も色々で、長時間は持ちづらかったが、グリップに補助のグリップを付けたことで持ちやすくした。
【先行技術文献】
【特許文献】
【０００３】
【特許文献１】  特開２０００−３２５１２１号公報
【特許文献２】  特開２００６−３４９１２号公報
【発明の概要】
【発明が解決しようとする課題】
【０００４】（イ）従来の傘袋は、失いやすいし袋に入れづらいということで、いろいろ工夫した傘袋もあるが、傘を出し入れしやすいように開口部を大きくするため、傘袋のサイズも大きくなってしまい、傘を使うときには、その大きな傘袋をバッグに収納するのでかさばって邪魔だし、傘から外して収納するということで、やはり失いやすかった。
（ロ）傘を持つ手が寒さや、夏の日焼けにさらされる。
（ハ）折りたたみの傘はグリップが短く、形も色々なので長時間持つと疲れやすかった。
（ニ）折りたたみの傘の二つ折り、三つ折りは、横、縦サイズも形状も変わるが一つのもので対応できるようにした。
本発明は、以上のような問題点を解決するために、本発明の傘袋は、失いやすいので傘から外すことなく、セットしたまま使う傘から外して、バッグの中に傘袋を入れて置くということは、一つ荷が増えてしまいバッグの中はかさばることになるので、傘と別々にすることなく離さない様に、他の傘に付け替えるとき以外は、いつも傘に付けたままで使えるように工夫した。
【課題を解決するための手段】
【０００５】  傘袋本体（１）の下部にグリップのシャーリング部（２）を設け、傘袋本体（１）の上部に傘のシャーリング部（３）を設け、傘のシャーリング部（３）を閉めるための紐（４）を設け、補助グリップ（５）の表面に面ファスナー（６ａ）、面ファスナー（６ｂ）を設け、傘のシャーリング部（３）に補助グリップ（５）を挿入し、組み合わせる。
以上のように構成した折りたたみ傘用の傘袋である。
【発明の効果】
【０００６】（イ）傘袋を傘から外すことがなく、セットしたまま使えるので傘袋を失うことがない。
傘袋だけをバッグに入れて持ち歩くということがないので、バッグの中の荷が増えてかさばってしまうということがない。
（ロ）傘を持つ手は、風雨、雪などの寒さや、夏の日焼けにもさらされやすいが、グリップを持ったまま、傘袋を裏返して手に被せて手を保護できるようになった。
（ハ）折りたたみの傘の短く、色々な形状のグリップに巻いた、シリコーンの補助のグリップによって、長時間持ちやすくなった。
（ニ）折りたたみ傘の色々なグリップの形に合わせて持ちやすくするために、シリコーンの柔らかい、滑りやすくない板に面ファスナーを貼ってグリップに巻き補助グリップとし、持ちやすくなった。
（ホ）折りタタミ傘の縦の長短、横の太い、細いにもシャーリングしてあることでピッタリフィトして、バッグの中でもかさばらず、邪魔にならない。
【図面の簡単な説明】
【０００７】
【図１】  本発明を分解した状態の斜視図である。
【図２】  本発明の補助グリップを傘に取り付ける状態を示した説明図である。
【図３】  本発明の補助グリップを傘に取り付けた状態を示した説明図である。
【図４】  本発明の傘袋を傘に取り付ける状態を示した説明図である。
【図５】  本発明の傘袋を傘にかぶせる状態を示した説明図である。
【図６】  本発明の傘袋を傘にかぶせる状態を示した説明図である。
【図７】  本発明の傘袋を傘にかぶせた状態を示した説明図である。
【図８】  本発明の傘袋を傘に取り付けた状態で、使用状態を示した説明図である。
【図９】  本発明の傘袋を傘に取り付けた状態で、使用状態を示した説明図である。
【発明を実施するための形態】
【０００８】以下、本発明の形態を説明する。
傘袋本体（１）の下部にグリップのシャーリング部（２）を設ける。
傘袋本体（１）の上部に傘のシャーリング部（３）を設ける。
傘のシャーリング部（３）を閉めるための紐（４）を設ける。
補助グリップ（５）の表面に面ファスナー（６ａ）、面ファスナー（６ｂ）を設ける。
グリップのシャーリング部（６）に補助グリップ（５）を挿入し、組み合わせる。
本発明ハ以上のように構成された折りたたみ傘用の傘袋である。
本発明の使い方を説明する。
グリップに巻く補助グリップ（５）を傘（７）のグリップに巻いて装着する。
補助グリップ（５）を装着した傘袋本体（１）を裏返した傘袋のグリップ挿入口へ差し込む。
傘袋のグリップ部を持って、傘袋を上へ引き上げるところの傘に装着し収納する。
【符号の説明】
【０００９】  １  傘袋本体
２  グリップのシャーリング部
３  傘のシャーリング部
４  紐
５  補助グリップ
６ａ  面ファスナー
６ｂ  面ファスナー
７  傘
８  傘袋をグリップの所で裏返した
９  傘袋で手をカバー
１０  補助グリップ挿入口
【図１】
2015058337.tif 000003
【図２】
2015058337.tif 000004
【図３】
2015058337.tif 000005
【図４】
2015058337.tif 000006
【図５】
2015058337.tif 000007
【図６】
2015058337.tif 000008
【図７】
2015058337.tif 000009
【図８】
2015058337.tif 000010
【図９】
2015058337.tif 000011